(57)【要約】【課題】コンパクトでありながら、光ディスクの傾きを精度良く測定できる光ピックアップ装置を提供する。【解決手段】チルトセンサＴＳをホルダ５に隣接しワイヤ４の間に配置したので、コンパクトな光ピックアップ装置を提供できるにもかかわらず、対物レンズＯＢＪ近傍の光ディスクの傾きを精度良く測定できる。【選択図】図１
2008052792.tif 000002
【特許請求の範囲】
【請求項１】
光源からの光束を対物レンズを介して、回転する光ディスクに対して集光することにより、その情報記録面に情報の記録及び／又は再生を行う光ピックアップ装置において、
前記対物レンズを保持する移動可能なホルダと、
一端側をベースに取り付けられ、他端側を前記ホルダに取り付けられた複数本のワイヤと、
前記ホルダに隣接し前記ワイヤの間に配置され、光ディスクの傾きを検出するチルトセンサと、を有し、
前記チルトセンサからの信号に基づいて、前記対物レンズの光軸を傾けることを特徴とする光ピックアップ装置。
【請求項２】
前記光源から出射された光束は、ミラーを介して反射した後に、前記対物レンズに入射するようになっており、前記ミラーに入射する光束の方向は、前記ワイヤの延在方向と平行であることを特徴とする請求項１に記載の光ピックアップ装置。
【請求項３】
前記ホルダを変位させるために磁石と、フォーカシングコイルと、トラッキングコイルとが複数対設けられ、前記対物レンズの光軸に沿って見たときに、前記ミラーに入射する光束を挟んで線対称な位置に、磁石と、フォーカシングコイルと、トラッキングコイルの各対がそれぞれ配置されていることを特徴とする請求項２に記載の光ピックアップ装置。
【請求項４】
前記光源と前記ミラーとの間に、前記光源からの光束の一部を前記対物レンズに導き、且つ前記光源からの光束の残りを、光束の光量をモニタするための受光素子へと導くように分岐する光分岐素子を配置したことを特徴とする請求項１〜３のいずれかに記載の光ピックアップ装置。
【発明の詳細な説明】
【技術分野】
【０００１】
本発明は、光ピックアップ装置に関し、特に薄形であって光情報記録媒体に対して適切に情報の記録及び／又は再生を行える光ピックアップ装置に関する。
【背景技術】
【０００２】
近年、従来のＣＤ、ＤＶＤに加え、波長４００ｎｍ程度の青紫色半導体レーザを用いて、Ｂｌｕ−ｒａｙ  ＤｉｓｃやＨＤ  ＤＶＤなどの高密度光ディスクに情報の記録／再生を行える光ピックアップ装置の開発も急速に進んでいる。
【０００３】
光ディスクの高密度化に伴い、光ピックアップ装置から照射される光スポットに対する光ディスクの半径方向の傾きを示すラジアルチルト角の制御を行う必要性が生じている。例えば光ディスクに反りが生じると、対物レンズの光軸に対して情報記録面が傾くため集光スポットにコマ収差が発生し、情報の記録及び／又は再生を高精度に行えない恐れがある。そこで、光ディスクにより信号を正しく読み取るために、対物レンズの傾きを自動調整するチルト機構を搭載した光ディスクの記録再生装置が開発されている（特許文献１，２参照）。
【０００４】
このような光ディスクの記録再生装置において、光ディスクに対してラジアルチルト検出を行う場合、光ピックアップ装置上に例えば反射型センサを用いたチルトセンサを搭載して、光ピックアップ装置を光ディスクの半径方向に移動させたときにおける反射光量の差からラジアルチルトを検出している。そして、チルトセンサからの光ディスクの傾きにより生じるエラー信号が最小となるようにＤＣモータを用いたチルト機構を用いて制御している。
【特許文献１】特開平１１−２７３１２３号公報
【特許文献２】特開２０００−２２８０２０号公報
【発明の開示】
【発明が解決しようとする課題】
【０００５】
しかるに、チルトセンサの構造は比較的大きいため、特許文献１のように光ピックアップ装置と光ディスクとの間にチルトセンサを配置すると、光ピックアップ装置の高さ方向の寸法が大きくなり過ぎるという問題がある。一方、特許文献２のように、チルトセンサを光ピックアップ装置に並設すると、対物レンズ近傍における光ディスクの傾きを精度良く測定できないという問題がある。
【０００６】
本発明は、かかる問題点に鑑みて成されたものであり、コンパクトでありながら、光ディスクの傾きを精度良く測定できる光ピックアップ装置を提供することを目的とする。
【課題を解決するための手段】
【０００７】
請求項１に記載の光ピックアップ装置は、光源からの光束を対物レンズを介して、回転する光ディスクに対して集光することにより、その情報記録面に情報の記録及び／又は再生を行う光ピックアップ装置において、
前記対物レンズを保持する移動可能なホルダと、
一端側をベースに取り付けられ、他端側を前記ホルダに取り付けられた複数本のワイヤと、
前記ホルダに隣接し前記ワイヤの間に配置され、光ディスクの傾きを検出するチルトセンサと、を有し、
前記チルトセンサからの信号に基づいて、前記対物レンズの光軸を傾けることを特徴とする。
【０００８】
本発明によれば、前記チルトセンサを前記ホルダに隣接し前記ワイヤの間に配置したので、コンパクトな構成を提供できるにもかかわらず、前記対物レンズ近傍の光ディスクの傾きを精度良く測定でき、前記チルトセンサからの信号に基づいて、前記対物レンズの光軸を傾けることで、コマ収差を抑えた集光スポットを光ディスクの情報記録面に集光させることができる。
【０００９】
請求項２に記載の光ピックアップ装置は、請求項１に記載の発明において、前記光源から出射された光束は、ミラーを介して反射した後に、前記対物レンズに入射するようになっており、前記ミラーに入射する光束の方向は、前記ワイヤの延在方向と平行であることを特徴とする。
【００１０】
請求項３に記載の光ピックアップ装置は、請求項２に記載の発明において、前記ホルダを変位させるために磁石と、フォーカシングコイルと、トラッキングコイルとが複数対設けられ、前記対物レンズの光軸に沿って見たときに、前記ミラーに入射する光束を挟んで線対称な位置に、磁石と、フォーカシングコイルと、トラッキングコイルの各対がそれぞれ配置されていることを特徴とする。
【００１１】
請求項４に記載の光ピックアップ装置は、請求項１〜３のいずれかに記載の発明において、前記光源と前記ミラーとの間に、前記光源からの光束の一部を前記対物レンズに導き、且つ前記光源からの光束の残りを、光束の光量をモニタするための受光素子へと導くように分岐する光分岐素子を配置したことを特徴とする。
【発明の効果】
【００１２】
本発明によれば、コンパクトでありながら、光ディスクの傾きを精度良く測定できる光ピックアップ装置を提供することができる。
【発明を実施するための最良の形態】
【００１３】
以下、図面を参照して、本発明をさらに詳細に説明する。図１は、本実施の形態にかかる光ピックアップ装置に用いられるアクチュエータＡＣＴの斜視図である。板状のベース１は、後述する光ピックアップ装置のキャリヤに固定される。ベース１上には、筐体２が固定されている。筐体２の図で手前側には、基板３がベース１に対して垂直に取り付けられ筐体２の一部を構成している。基板３には、片側で３本ずつ、合計６本のワイヤ４の一端が固定されており、各側のワイヤ４は、上下方向に等間隔で平行に並べられ且つベース１に沿って延在している。ワイヤ４の他端は、ホルダ５の両側面に取り付けられた固定具１４にハンダ付け又はカシメ固定（Ｃ）されている。ワイヤ４は、ベース１に対してホルダ５を移動可能に支持する機能と、不図示の配線が接続される基板３から、後述するコイルに対して給電するための機能とを有する。なお、筐体２内には、ワイヤ４のダンピング効果のあるジェル（不図示）が充填されている。
【００１４】
樹脂製のホルダ５は、中央の円形開口（不図示）内に対物レンズＯＢＪを装着している。この対物レンズＯＢＪは、後述する光ピックアップ装置において、光ディスクの情報記録面にレーザ光束を集光するために用いられる。ホルダ５は、対物レンズＯＢＪを挟んで両側（ワイヤ４側）に角筒状のコイルユニットＣＵＴａ、ＣＵＴｂを配置している。コイルユニットＣＵＴａの内部に一端を挿入するようにして各々Ｌ字状のヨーク板７Ａ，８Ａが設けられている。Ｔ字形になるよう対向して組み合わされたヨーク板７Ａ，８ＡはコイルユニットＣＵＴａの上部をまたぎ、それぞれ他端が、ホルダ５の底面及び側面を覆うＵ字溝状のヨーク本体ＹＫの一端上縁に連結されている。又、コイルユニットＣＵＴｂの内部に一端を挿入するようにして各々Ｌ字状のヨーク板７Ｂ，８Ｂが設けられている。Ｔ字形になるよう対向して組み合わされたヨーク板７Ｂ，８ＢはコイルユニットＣＵＴｂの上部をまたぎ、それぞれ他端がヨーク本体ＹＫの他端上縁に連結されている。
【００１５】
図１において、ホルダ５の両側に配置されたワイヤ４の間であって、ホルダ５と筐体２との間に、チルトセンサＴＳが配置されている。チルトセンサＴＳは、発光部ＴＳａと受光部ＴＳｂとを有し、発光部ＴＳａから、光ディスク（不図示）の面における対物レンズＯＢＪを介して集光されるスポット近傍に向かって光束を照射し、その反射光を、分割された受光領域を有する受光部ＴＳｂで受光することで、光ディスクの傾きを検出できるようになっている。かかるチルトセンサＴＳは、例えば特開平１１−２７３１２３号公報に記載されているので詳細は省略する。
【００１６】
図２は、対物レンズＯＢＪの光軸方向に見たホルダ５（点線で図示）の周辺を示す概略構成図である。図２に示すように、対物レンズＯＢＪの左方において、ヨーク本体ＹＫの内側面に対向するようにして配置された一対の磁石９Ａ，１０Ａの間に、コイルユニットＣＵＴａが配置されている。コイルユニットＣＵＴａは、ヨーク板７Ａ，８Ａの周囲に巻回してなる二重巻線である第１コイル群Ｇ１と、第１コイル群Ｇ１と磁石９Ａ，１０Ａとの間において、第１コイル群Ｇ１と巻軸線が直交するように巻かれて配置されたトラッキングコイル１１Ａとからなる。
【００１７】
一方、対物レンズＯＢＪの右方において、ヨーク本体ＹＫの内側面に対向するようにして配置された一対の磁石９Ｂ，１０Ｂの間に、コイルユニットＣＵＴｂが配置されている。コイルユニットＣＵＴｂは、ヨーク板７Ｂ，８Ｂの周囲に巻回してなる二重巻線である第２コイル群Ｇ２と、第２コイル群Ｇ２と磁石９Ｂ，１０Ｂとの間において、第２コイル群Ｇ１と巻軸線が直交するように巻かれて配置されたトラッキングコイル１１Ｂとからなる。
【００１８】
図２において、磁石９Ａ，１０Ａにおけるコイル側はそれぞれＮ極に磁化されているので、図で矢印に示すように、第１コイル群Ｇ１の巻層を横切って、磁石９Ａの表面から対向するヨーク板７Ａの表面に向かうように磁界が形成され、且つ磁石１０Ａの表面から対向するヨーク板８Ａの表面に向かうように磁界が形成されている。一方、磁石９Ｂ，１０Ｂにおけるコイル側はそれぞれＮ極に磁化されているので、図２で矢印に示すように、第２コイル群Ｇ２の巻層を横切って、磁石９Ｂの表面から対向するヨーク板７Ｂの表面に向かうように磁界が形成され、且つ磁石１０Ｂの表面から対向するヨーク板８Ｂの表面に向かうように磁界が形成されている。
【００１９】
第１コイル群Ｇ１は、ヨーク７Ａ，８Ａの周囲に巻回された内側コイル１２Ａと、内側コイル１２Ａの外表面に直に巻回された外側コイル１３Ａとを有している。一方、第２コイル群Ｇ２は、ヨーク７Ｂ、８Ｂの周囲に巻回された内側コイル１２Ｂと、内側コイル１２Ｂの外表面に直に巻回された外側コイル１３Ｂとを有している。互いに直列的に接続された外側コイル１３Ａ、１３Ｂは、一対のワイヤ４（図１）に電気的に接続されている。一方、内側コイル１２Ａ、１２Ｂは、別な対のワイヤ４に電気的に接続されているが、電流の流れる方向が異なるように結線されている。なお、内側コイル１２Ａと外側コイル１３Ａと外側コイル１３Ｂの巻回方向を同じにし、内側コイル１２Ｂのみ巻回方向を異ならせると、結線がしやすくなるという利点がある。又、内側コイル１２Ａ、１２Ｂに対して、別個に巻回された外側コイル１３Ａ、１３Ｂをそれぞれ嵌合させても良い。
【００２０】
図２から明らかであるが、対物レンズＯＢＪの中心を通り、ワイヤ４に平行な線Ｘに対して、磁石７Ａ、１０Ａは、磁石７Ｂ、１０Ｂと線対称な位置に配置され、フォーカシングコイルである内側コイル１２Ａと外側コイル１３Ａは、内側コイル１２Ｂと外側コイル１３Ｂと線対称な位置に配置され、トラッキングコイル１１Ａは、トラッキングコイル１１Ｂと線対称な位置に配置されており、良好なバランスを確保している。尚、対物レンズＯＢＪを光軸方向に見たときに、その中心を通過しワイヤ４に平行な線Ｘは、アクチュエータＡＣＴが後述する光ピックアップ装置ＰＵに搭載されたとき、立ち上げミラーＭに入射する光源からの光束（図３に示す点線Ｌ）と重なるようになっている。
【００２１】
次に、本実施の形態にかかるアクチュエータＡＣＴの動作について説明する。ワイヤ４を介して給電されたとき、図２の矢印で示すように、外側コイル１３Ａ、１３Ｂには、同じ電流値で同じ方向（ここでは時計回り）に電流が流れるため、フレミングの左手の法則により、外側コイル１３Ａには、図で紙面垂直方向上方に向かう磁力Ｆ１が生じ、外側コイル１３Ｂには、図で紙面垂直方向上方に向かう磁力Ｆ２が生じる。従って、第１コイル群Ｇ１と第２コイル群Ｇ２が固定されたホルダ５は、図で紙面垂直方向上方に移動することなり、それにより対物レンズＯＢＪを光軸方向に移動させることでフォーカシング動作を実現することができる。なお、電流の向きを逆にすれば、ホルダ５は紙面垂直方向下方に移動する。
【００２２】
一方、図２の矢印で示すように、内側コイル１２Ａには、時計回りの方向に電流を流し、内側コイル１２Ｂには、反時計回りの方向に電流を流すと、フレミングの左手の法則により、内側コイル１２Ａには、図で紙面垂直方向上方に向かう磁力ｆ１が生じ、内側コイル１２Ｂには、図で紙面垂直方向下方に向かう磁力ｆ２が生じる。従って、ホルダ５には磁力により線Ｘ回りのモーメントが作用し、対物レンズＯＢＪの左側が紙面垂直方向に上がり右側が紙面垂直方向に下がるように傾くこととなる。電流の向きを逆にすれば、ホルダ５は逆方向に傾く。これにより対物レンズＯＢＪのチルト調整を行うことができる。なお、図２の実施の形態に対し、磁石９Ｂにおける磁石１０Ｂ側をＳ極に磁化し、また磁石１０Ｂにおける磁石９Ｂ側をＮ極に磁化することで磁界の方向を変え、更に内側コイル１２Ａ、１２Ｂ、外側コイル１３Ａの電流の流れる方向を同じ時計回りにし、外側コイル１３Ｂの電流の流れる方向を反時計回りとした場合、外側コイル１３Ａ、１３Ｂによりフォーカシング動作を行いながらも、時計回りの磁気回路が形成され、ギャップ磁束密度が増大するという利点がある（図４参照）。又、チルト調整動作を外側コイルを用いて行い、フォーカシング動作を内側コイルを用いて行っても良い。
【００２３】
更に、トラッキングコイル１１Ａ、１１Ｂに電流を流すことで、ホルダ５を対物レンズＯＢＪと共に、光軸に直交する方向に移動可能となっており、それによりトラッキング動作を行うことができる。
【００２４】
図３は、本実施の形態にかかる光ピックアップ装置の概略構成図である。保護層の厚さが異なる光情報記録媒体であるＢＤ又はＨＤ ＤＶＤ、ＤＶＤ及びＣＤに対して適切に情報の記録／再生を行える光ピックアップ装置ＰＵにおいて、平行するメインレールＭＲとサブレールＳＲ（ガイド部材ともいう）とに係合し、不図示のアクチュエータにより移動可能に支持されたキャリヤＣＹがレール間に設けられている。光ピックアップ装置ＰＵは、キャリヤＣＹ上に搭載された、第２のパッケージＰＡに収容され波長λ１の光束を出射できる第１半導体レーザＬＤ１と、波長λ２の光束を出射できる第２半導体レーザ及び波長λ３の光束を出射できる第３半導体レーザとを第１のパッケージＰＢに収容した２レーザ１パッケージ２Ｌ１Ｐと、カップリングレンズＣＵＬと、光束結合素子であるダイクロイックプリズムＤＢＳと、偏光ビームスプリッタＰＢＳと、モニタレンズＭＬと、モニタ素子であるモニタディテクタ（受光素子ともいう）ＭＤと、レンズＬ１、Ｌ２からなるエキスパンダレンズＥＸＰと、λ／４波長板ＱＷＰと、対物レンズＯＢＪの下方に配置された反射光学素子である立ち上げミラーＭと、アクチュエータＡＣＴにより駆動可能に保持された対物レンズＯＢＪと、円筒状の調整部材ＡＭに支持されたサーボレンズＳＬと、偏光ビームスプリッタＰＳと、光検出器ＰＤとを含む。可動光学素子であるレンズＬ２は、駆動装置ＤＲにより、キャリヤＣＹに固定されたレンズＬ１に対して光軸方向に移動される。駆動装置ＤＲは、固定部ＦＸに固定された圧電素子ＰＺを所定のパターンで伸縮させることで、レンズＬ２の保持するホルダＥＨを、駆動軸ＤＳに沿って任意の方向に任意の速度で移動させることができる。
【００２５】
なお、偏光ビームスプリッタＰＢＳの光束分岐面の被膜は、所定の偏光状態の光束は例えば９０％透過し又は反射し、それとは異なる偏光状態の光束は例えば１０％反射し又は透過するようになっているものとする。
【００２６】
図示していない第１の光ディスク（例えばＢＤ又はＨＤ ＤＶＤ）に対して情報の記録及び／又は再生を行う場合、図３の光ピックアップ装置ＰＵにおいて、光源波長３５０〜４５０ｎｍの半導体レーザＬＤ１（第１の光源）から出射された光束は、ダイクロイックプリズムＤＢＳで反射され、偏光ビームスプリッタＰＢＳを通過して、λ／４波長板ＱＷＰを通過し、エキスパンダーレンズＥＸＰのレンズＬ１を通過し、駆動装置ＤＲにより第１の位置に移動させられたレンズＬ２を通過して略平行光束に変換され、立ち上げミラーＭに入射する。なお、偏光ビームスプリッタＰＢＳで反射した光束の一部は、モニタレンズＭＬを通過して、モニタディテクタＭＤに入射し、レーザパワー（光量）の監視に用いられる。
【００２７】
立ち上げミラーＭに入射した光束は、そこで反射され、対物レンズＯＢＪに入射して、ここから第１の光ディスクの情報記録面（保護層の厚さ０．１ｍｍ又は０．６ｍｍ）に集光される。
【００２８】
情報記録面で情報ピットにより変調された反射光束は、再び対物レンズＯＢＪを通過し、立ち上げミラーＭで反射された後、エキスパンダーレンズＥＸＰのレンズＬ２、Ｌ１を通過し、λ／４波長板ＱＷＰを通過し、偏光ビームスプリッタＰＢＳで反射され、サーボレンズＳＬと、調整部材ＡＭの内部を通過して、偏光ビームスプリッタＰＳ内を反射されて、光検出器ＰＤの受光面に集光される。この光検出器ＰＤの出力信号を用いて、第１の光ディスクに情報記録された情報の読み取り信号が得られる。
【００２９】
また、光検出器ＰＤ上でのスポットの形状変化、位置変化による光量変化を検出して、合焦検出やトラック検出を行う。この検出に基づいてアクチュエータＡＣＴにより対物レンズＯＢＪのフォーカシング制御、トラッキング制御、チルト調整動作が行われる。
【００３０】
図示していない第２の光ディスク（例えばＤＶＤ）に対して情報の記録及び／又は再生を行う場合、図３の光ピックアップ装置ＰＵにおいて、光源波長６００〜７００ｎｍの半導体レーザ（第２の光源）から出射された光束は、２レーザ１パッケージ２Ｌ１Ｐから出射され、カップリングレンズＣＵＬを通過することで発散角を変更され、ダイクロイックプリズムＤＢＳと、偏光ビームスプリッタＰＢＳを通過して、λ／４波長板ＱＷＰを通過し、エキスパンダーレンズＥＸＰのレンズＬ１を通過し、駆動装置ＤＲにより第２の位置に移動させられたレンズＬ２を通過して略平行光束に変換され、立ち上げミラーＭに入射する。なお、偏光ビームスプリッタＰＢＳで反射した光束の一部は、モニタレンズＭＬを通過して、モニタディテクタＭＤに入射し、レーザパワーの監視に用いられる。
【００３１】
立ち上げミラーＭに入射した光束は、そこで反射され、対物レンズＯＢＪに入射して、ここから第２の光ディスクの情報記録面（保護層の厚さ０．６ｍｍ）に集光される。
【００３２】
情報記録面で情報ピットにより変調された反射光束は、再び対物レンズＯＢＪを通過し、立ち上げミラーＭで反射された後、エキスパンダーレンズＥＸＰのレンズＬ２、Ｌ１を通過し、λ／４波長板ＱＷＰを通過し、偏光ビームスプリッタＰＢＳで反射され、サーボレンズＳＬと、調整部材ＡＭの内部を通過して、偏光ビームスプリッタＰＳ内を反射されて、光検出器ＰＤの受光面に集光される。この光検出器ＰＤの出力信号を用いて、第２の光ディスクに情報記録された情報の読み取り信号が得られる。
【００３３】
また、光検出器ＰＤ上でのスポットの形状変化、位置変化による光量変化を検出して、合焦検出やトラック検出を行う。この検出に基づいてアクチュエータＡＣＴにより対物レンズＯＢＪのフォーカシング制御、トラッキング制御、チルト調整動作が行われる。
【００３４】
図示していない第３の光ディスク（例えばＣＤ）に対して情報の記録及び／又は再生を行う場合、図１の光ピックアップ装置ＰＵにおいて、光源波長７００〜８００ｎｍの半導体レーザ（第３の光源）から出射された光束は、２レーザ１パッケージ２Ｌ１Ｐから出射され、カップリングレンズＣＵＬを通過することで発散角を変更され、ダイクロイックプリズムＤＢＳと、偏光ビームスプリッタＰＢＳを通過して、λ／４波長板ＱＷＰを通過し、エキスパンダーレンズＥＸＰのレンズＬ１を通過し、駆動装置ＤＲにより第３の位置に移動させられたレンズＬ２を通過して有限発散光束に変換され、立ち上げミラーＭに入射する。なお、偏光ビームスプリッタＰＢＳで反射した光束の一部は、モニタレンズＭＬを通過して、モニタディテクタＭＤに入射し、レーザパワーの監視に用いられる。
【００３５】
立ち上げミラーＭに入射した光束は、そこで反射され、対物レンズＯＢＪに入射して、ここから第３の光ディスクの情報記録面（保護層の厚さ１．２ｍｍ）に集光される。
【００３６】
情報記録面で情報ピットにより変調された反射光束は、再び対物レンズＯＢＪを通過し、立ち上げミラーＭで反射された後、エキスパンダーレンズＥＸＰのレンズＬ２、Ｌ１を通過し、λ／４波長板ＱＷＰを通過し、偏光ビームスプリッタＰＢＳで反射され、サーボレンズＳＬと、調整部材ＡＭの内部を通過して、偏光ビームスプリッタＰＳ内を反射されて、光検出器ＰＤの受光面に集光される。この光検出器ＰＤの出力信号を用いて、第３の光ディスクに情報記録された情報の読み取り信号が得られる。
【００３７】
また、光検出器ＰＤ上でのスポットの形状変化、位置変化による光量変化を検出して、合焦検出やトラック検出を行う。この検出に基づいてアクチュエータＡＣＴにより対物レンズＯＢＪのフォーカシング制御、トラッキング制御、チルト調整動作が行われる。
【００３８】
更に、情報の記録及び／又は再生中に、チルトセンサＴＳからの信号に応じて、回転ホルダＳＭに保持され軸線回りに回転する光ディスク（不図示）に対して光ピックアップ装置全体をチルトさせるので、コマ収差を抑えた集光スポットを光ディスクの情報記録面に集光させることができる。光ピックアップ装置をチルトする構成は良く知られているので説明しない。尚、アクチュエータＡＣＴ全体をチルトさせても良い。
【００３９】
本実施の形態によれば、チルトセンサＴＳをホルダ５の近傍において二列のワイヤ４の間に配置したので、コンパクトな光ピックアップ装置を提供できるにもかかわらず、対物レンズＯＢＪ近傍の光ディスクの傾きを精度良く測定できる。
【００４０】
更に、ワイヤ４と、立ち上げミラーＭに入射する光束Ｌとが非平行（例えば直交）である場合には、ホルダ５と筐体２との間の空間を大きく確保することができず、チルトセンサＴＳを適切に配置できなくなる恐れがある。かかる空間以外の場所にチルトセンサＴＳを配置すると、チルトセンサＴＳで検出できる光ディスクの部位が、対物レンズＯＢＪから遠くなるため、集光スポットの位置近傍の傾きを高精度に検出できない恐れがある。これに対し、本実施の形態によれば、立ち上げミラーＭに入射する光束Ｌの方向が、ワイヤ４の延在方向と平行であるので、ホルダ５と筐体２との間の空間を大きく確保でき、チルトセンサＴＳを設置する自由度が向上する。
【００４１】
更に、図２に示すように対物レンズＯＢＪの光軸に沿って見たときに、立ち上げミラーＭに入射する光束Ｌを挟んで線対称な位置に、磁石９Ａ，１０Ａ、９Ｂ、１０Ｂと、フォーカシングコイル１２Ａ，１３Ａ、１２Ｂ、１３Ｂと、トラッキングコイル１１Ａ、１１Ｂの各対がそれぞれ配置されているので、チルトセンサＴＳを、対物レンズＯＢＪに極力近接して配置することができ、光ディスクの集光スポットの近傍の傾きを高精度に検出できる。
【００４２】
又、立ち上げミラーＭをハーフミラーとして光源からの光束の一部を透過させ、その背後に受光素子を置くことで、レーザパワーをモニタすることもできるが、かかる場合、部品配置上、モニタ用の受光素子がチルトセンサＴＳと干渉してしまう恐れがある。本実施の形態によれば、立ち上げミラーＭの手前（光源側）に、偏光ビームスプリッタＰＢＳを配置して、光源からの光束の一部をモニタディテクタＭＤへと導くようにしたので、ホルダ５と筐体２との間の空間を有効に活用でき、これによりチルトセンサＴＳの配置設計の自由度が向上し、対物レンズＯＢＪに極力近接して配置することができる。
【００４３】
以上、本発明を実施の形態を参照して説明してきたが、本発明は上記実施の形態に限定して解釈されるべきではなく、適宜変更・改良が可能であることはもちろんである。例えば、チルトセンサで測定できる光ディスクの傾き方向は、ラジアル方向に限定されず、タンジェンシャル方向、或いは両方向の中間方向としてもよく、それに応じて、対物レンズをこれらの方向にチルトさせても良いことは明らかである。
【図面の簡単な説明】
【００４４】
【図１】本実施の形態にかかるアクチュエータの斜視図である。
【図２】対物レンズＯＢＪの光軸方向に見たホルダ５（点線で図示）の周辺を示す概略構成図である。
【図３】本実施の形態にかかる光ピックアップ装置の概略構成図である。
【符号の説明】
【００４５】
１ ベース
２ 筐体
３ 基板
４ ワイヤ
５ ホルダ
７Ａ，８Ａ ヨーク板
７Ｂ，８Ｂ ヨーク板
９Ａ，１０Ａ 磁石
９Ｂ，１０Ｂ 磁石
１１Ａ トラッキングコイル
１１Ｂ トラッキングコイル
１２Ａ 内側コイル
１２Ｂ 内側コイル
１３Ａ 外側コイル
１３Ｂ 外側コイル
１４ 固定具
ＡＣＴ アクチュエータ
ＡＭ 調整部材
ＣＵＬ カップリングレンズ
ＣＵＴａ コイルユニット
ＣＵＴｂ コイルユニット
ＣＹ キャリヤ
ＤＢＳ ダイクロイックプリズム
ＤＲ 駆動装置
ＤＳ 駆動軸
ＥＨ ホルダ
ＥＸＰ エキスパンダレンズ
ＦＸ 固定部
Ｇ１ 第１コイル群
Ｇ２ 第２コイル群
Ｌ１ レンズ
Ｌ２ レンズ
ＬＤ１ 半導体レーザ
Ｍ 立ち上げミラー
ＭＤ モニタディテクタ
ＭＬ モニタレンズ
ＭＲ メインレール
ＯＢＪ 対物レンズ
ＰＡ 第１のパッケージ
ＰＢ 第２のパッケージ
ＰＢＳ 偏光ビームスプリッタ
ＰＤ 光検出器
ＰＳ 偏光ビームスプリッタ
ＰＵ 光ピックアップ装置
ＰＺ 圧電素子
ＱＷＰ λ／４波長板
ＳＬ サーボレンズ
ＳＲ サブレール
ＴＳ チルトセンサ
ＴＳａ 発光部
ＴＳｂ 受光部
ＹＫ ヨーク本体
【図１】
2008052792.tif 000003
【図２】
2008052792.tif 000004
【図３】
2008052792.tif 000005